(57)【要約】      （修正有）【課題】予め選択された脈動音を提供し、かつ弾性的に偏る指グリップを有するホイッスルを提供する。【解決手段】共鳴周波数を作るホイッスル１００は、入口を有するマウスピース１１２及び、入口１１４から入口空気が吹き込まれる少なくとも二個の音響室を備えた本体１１０を含む。ホイッスルは、さらに入口空気を入口１１４から共鳴室及び音響室へ通じるための空気通路を備える。本体は、さらに、音響室と通じて空気及び音を排出するための少なくとも二個の排出ポート１６０等を備える。二個の該音響室は、１００ヘルツより低い周期的なパルス周波数を有する脈動音を相互に影響しあって作るピーク主要周波数を作るような寸法を有する。ホイッスルは、好ましくは、追加のポート空気を共鳴室へ通じるための空気吸気ポートを備える。【選択図】図１
0003164189.tif 000002
【実用新案登録請求の範囲】
【請求項１】
ａ）入口を有するマウスピース、及び、該入口から入口空気が吹き込まれる少なくとも二個の音響室を備えた本体、
ｂ）入口空気を該入口から共鳴室及び該音響室へ通じるための空気通路、
ｃ）該本体は、さらに、該音響室と通じて空気及び音を排出するための少なくとも二個の排出ポートを備える、
ｄ）二個の該音響室は、１００ヘルツより低い周期的なパルス周波数を有する脈動音を相互に影響しあって作るピーク主要周波数を作るような寸法を有する、
を備える、共鳴周波数を作るためのホイッスル。
【請求項２】
該本体は、さらに、追加のポート空気を該共鳴室へ通じるための空気吸気ポートを備える、請求項１に記載のホイッスル。
【請求項３】
該空気吸気ポートは、入口空気とは独立にポート空気を引き込む、請求項２に記載のホイッスル。
【請求項４】
該空気吸気ポートは、該空気通路とは独立にポート空気を引き込む、請求項２に記載のホイッスル。
【請求項５】
該本体は、さらに、追加のポート空気を該共鳴室へ通じるための空気吸気ポートを備え、ここで、該ポート空気は、入口空気に近接する流れからサイホン現象により該吸気ポートへ引き込まれる、請求項１に記載のホイッスル。
【請求項６】
該空気通路は、入口空気を該共鳴室へ空気オリフィスにて排出し、そして、空気吸気ポートは、ポート空気を該共鳴室へ空気孔にて排出し、ここで該空気孔は、該空気オリフィスのすぐ近くに位置する、請求項２に記載のホイッスル。
【請求項７】
該空気孔は、該空気オリフィスと該ホイッスルの外面との間に位置する、請求項６に記載のホイッスル。
【請求項８】
該音響室は、音を強引に偏向するためのディフレクターを備え、そして、該空気オリフィス及び該空気孔は、該ディフレクターに沿って位置する、請求項６に記載のホイッスル。
【請求項９】
該空気孔は、該ディフレクターに沿った該空気オリフィスに隣接しつすぐ近くに位置する、請求項８に記載のホイッスル。
【請求項１０】
該空気孔は、該ホイッスルの外面と該ディフレクターに沿った該空気オリフィスとの間に位置する、請求項８に記載のホイッスル。
【請求項１１】
二個の該音響室は、１０〜１００ヘルツの周期的なパルス周波数を有する脈動音を相互に影響しあって作るピーク主要周波数を作るような寸法を有する、請求項１に記載のホイッスル。
【請求項１２】
二個の該音響室は、１０〜１００ヘルツのピーク主要周波数の相違を作り、そして、該主要周波数は、２０００〜２４００ヘルツの間で選択される、請求項１１に記載のホイッスル。
【請求項１３】
ａ）入口を有するマウスピース及び、該入口から入口空気が吹き込まれる少なくとも二個の音響室を備えた本体、
ｂ）入口空気を該入口から該音響室へ通じるための空気通路、
ｃ）該本体は、さらに、該音響室と通じて空気及び音を排出するための少なくとも二個の排出ポートを備える、
ｄ）該本体に一体に連結し、少なくとも一の指をその中に受容し、指をつかむために弾性的に偏る拡張可能部分を備えた指グリップ
を備える、共鳴周波数を作るためのホイッスル。
【請求項１４】
該指グリップは、隣接している指スリーブを備える、請求項１３に記載のホイッスル。
【請求項１５】
隣接している該指スリーブは、指の大きさの変更に適応し、そして指をつかむためのＶ形拡張バネを備える、請求項１４に記載のホイッスル。
【請求項１６】
該Ｖ形拡張バネは、指の大きさに適合するために正常位置と拡張位置との間で移動可能である、請求項１５に記載のホイッスル。
【請求項１７】
該Ｖ形拡張バネが弾性材料でできている、請求項１５に記載のホイッスル
【請求項１８】
隣接している該指スリーブの内部が弾性材料でできている、請求項１４に記載のホイッスル。
【考案の詳細な説明】
【技術分野】
【０００１】
本願は、Ｒｏｎ  Ｆｏｘｃｒｏｆｔにより２０１０年３月８日付けで指グリップ付きホイッスルという名称のもとで出願された米国意匠出願第２９／３５７，１３９、及び、Ｒｏｎ  Ｆｏｘｃｒｏｆｔにより２０１０年８月６日付けで指グリップ付きホイッスルという名称のもとで出願された米国仮出願第６１／３７１，２２７による優先権を主張するものでる。
【０００２】
本考案は、ホイッスルに関し、特に予め選択された脈動音（ｐｕｌｓａｔｉｎｇ  ｓｏｕｎｄ）を提供し、かつ弾性的に偏る（ｂｉａｓｅｄ）指グリップを有するホイッスルに関する。
【背景技術】
【０００３】
ホイッスルは、審判による競技種目をコントールための使用から注意を引くための緊急用途にわたる多くの目的のために使用される。ホイッスルに要求される特徴は、意図する用途に依存する。例えば、プロの審判は、審判が群衆の騒音にもかかわらずゲームをコントロールできるように確実に大きな騒音を作るように反応するホイッスルを必要とする。緊急事態のようないくつかの状況では、補助を提供可能な近くの人の注意を引く極めて大きく耳をつんざく音を作るホイッスルを持つことが望まれる。
【０００４】
競技種目で審判は、一定の音を作る一定のホイッスルを使うようになっている。多くの場合、審判によって使われようとするホイッスルは、歴史的事情に由来する。一定の音を作る特定型のホイッスルの使用は、ゲームなどの競技者及び聴衆の両方からたびたび周知になっている。
【０００５】
歴史的には、これらのホイッスルの多くは、ピーホイッスル（ｐｅａ  ｗｈｉｓｔｌｅ）であり、これは、音響室又は共鳴室（ｒｅｓｏｎａｔｉｎｇ  ｃｈａｍｂｅｒ）内に回転ボールを入れたホイッスルを意味する。しかし、ごく最近は、ピー無しホイッスル（ｐｅａ−ｌｅｓｓ  ｗｈｉｓｔｌｅ）の使用にシフトしてきており、これは、共鳴室及び／又は音響室（ｓｏｕｎｄ  ｃｈａｍｂｅｒ）内に回転ボールすなわちピーの使用を含まない。ピー無しホイッスルに利点が、米国特許第５８１６８１６及び米国特許第４８２１６７０をはじめとする多数の従来技術文献で説明されている。
【０００６】
多くの事例で市場に現在あるピー無しホイッスル設計の利点にもかかわらず、ピー無しホイッスルと従来のピースタイルのホイッスルにより作られる音の違いのために、一定のスポーツ分野では受け入れられていない。競技種目の審判及び参加者や観客などは、スポーツ分野で広く受け入れられている一定の音に慣れており、ホイッスル自体のもつ技術が最適以下であっても、特定の音を作るホイッスルが好まれるホイッスルである。
【０００７】
したがって、ピー設計が附帯する欠点の無い特定のピーホイッスルの音を模倣可能なホイッスルを作ることによって、ピー無しデザインを使用してピーホイッスルの音をできる限り近く模倣するホイッスルの要望が存在する。
【０００８】
さらに、審判は、指で握ってそして一定の音を確実に作るのに快適なホイッスルを要求する。
【０００９】
米国特許第６８３７１７７は、異なる共鳴周波数（ｒｅｓｏｎａｔｅ  ｆｒｅｑｕｅｎｃｉｅｓ）を有する二室型ホイッスルを作製する可能性を議論する。特に、３．４キロヘルツの共鳴周波数を有する第一室と、３．７キロヘルツの共鳴周波数を有する第二共鳴室を求める。これにより、約３００ヘルツのビート周波数（ｂｅａｔ  ｆｒｅｑｕｅｎｃｙ）が作られる。米国特許第６８３７１７７は、ビート周波数が１００ヘルツ以下ならば、ビートをほとんど無視でき、その結果、音は単調であることを教示する。すなわち、米国特許第６８３７１７７は、１００ヘルツ以上のビート周波数を教示している。米国特許第４７０９６５１は、また、異なる共鳴周波数を作る二個の音響室を有するホイッスルを有する可能性を論じる。実際、米国特許第４７０９６５１は、音を作る二室の共鳴周波数は、相対的に高い周波数と低い周波数を作るように準備されることを教示する。好ましい準備では、ホイッスル、すなわち、音を作る二室の音域は、ヒトの聴取の高低の限界を実質的にカバーするようなものである。それらは、２キロヘルツ〜８キロヘルツのホイッスルの周波数域の例を与える。この特許はふたたび、音を作る二室間の周波数の極めて広い相違、すなわち、６キロヘルツのオーダーの相違を教示する。
【００１０】
米国特許第５８１６１８６は、また、二個の別個の音共鳴室に由来する二個の共鳴周波数の準備を介してビートを作るホイッスルの提供の概念を説明する。本考案は、一定のビート周波数の選択のしかた方法及び／又はピー無し設計を使用してピーホイッスルの音を模倣する能力を定量化しまた論じるものではない。
【考案の概要】
【考案が解決しようとする課題】
【００１１】
要約すると、現在の技術は、特定のビートを提供するために典型的に１００ヘルツ及び／又はそれ以上の一定のビート周波数を作る二個の音共鳴室のピー無しホイッスルを有する可能性を教示する。
【課題を解決するための手段】
【００１２】
本考案のホイッスルは、ビートよりはむしろパルスを作るものであり、そして、本考案者は、それが実際に、既存のピー無しホイッスル設計の音を模倣するために必要とされるパルスであり、ビートでないことを発見した。また、追加の空気吸気ポートの導入が、ピー無し設計でピー型ホイッスルの音を模倣するのに役立つことが判明した。
【図面の簡単な説明】
【００１３】
ホイッスルを、以下に例により添付の図面を参照しながら説明する。  
【図１】ホイッスルの概略正面斜視図である。
【図２】ホイッスルの前方底面概略斜視図である。
【図３】ホイッスルの右側面図である。
【図４】ホイッスルの左側面図である。
【図５】ホイッスルの平面図である。
【図６】ホイッスルの正面図である。
【図７】ホイッスルの底面図である。
【図８】ホイッスルの背面図である。
【図９】ホイッスルの部分正面図である。
【図１０】図９のＡＡ線に沿ったホイッスルの概略横断面図である。
【図１１】ホイッスルの部分概略正面図である。
【図１２】図１１のＢＢ線に沿ったホイッスルの概略横断面図である。
【図１３】硬質プラスチック部材及びゴム製オーバレイを示すホイッスルの一部切り欠き概略側面図である。
【図１４】ホイッスルのゴム製オーバレイ部のみを示すホイッスルの側方立面図である。
【図１５】正常位置内のＶ−バネを示す指グリップの指グリップスリーブに収容される小さな指を示すホイッスルの側方概略断面図である。
【図１６】拡張位置内に示すＶ−バネを持つ指グリップの指スリーブ内の大きな指の側方断面概略図である。
【図１７】別の実施態様、すなわちホイッスル５００の上方正面概略斜視図である。
【図１８】図１９のＡＡ線に沿ったホイッスル５００の概略横断面図である。
【図１９】別の実施態様、すなわちホイッスル５００の概略部分正面図である。
【図２０】Ｙ軸に音デシベル及びＸ軸に周波数をとったグラフであり、他の比較する典型的なボールホイッスル上に本考案のホイッスルデザインを重ね合わせた二個の周波数チャートを示す。
【図２１】典型的なボールホイッスルについてのＹ軸にデシベルをＸ軸に周波数をとったチャートである。
【図２２】Ｙ軸に振幅（ａｍｐｌｉｔｕｄｅ）をＸ軸に沿って時間をとり、図２１のグラフ化した典型的なボールホイッスルの周期的なパルス周波数を示す。
【図２３】Ｙ軸にデシベル及びＸ軸に周波数をとり、本考案のデザインに沿って作られたホイッスルの周波数の指紋（ｆｒｅｑｕｅｎｃｙ  ｆｉｎｇｅｒｐｒｉｎｔ）を示す。
【図２４】Ｙ軸に振幅をＸ軸に時間をとり、図２３のグラフ化した本考案のデザインの周期的なパルス周波数を示す。
【図２５】Ｙ軸にデシベルレベルをＸ軸に周波数をとり、典型的なボールホイッスルと本考案のホイッスルを重ね合わせた概略チャートを示す。
【考案を実施するための形態】
【００１４】
図１で、全体に１００で示す本考案の器具のホイッスルは、以下の主要部材、すなわち、入口１１４を規定するマウスピース１１２を有する本体１１０を備える。ホイッスル１００は、さらに、指スリーブ１１８からなり、そしてＶ−バネ（Ｖ−ｓｐｒｉｎｇ）１３０もまた含む指グリップ（ｆｉｎｇｅｒ  ｇｒｉｐ）１１６を備える。
【００１５】
ホイッスル１００は、図６に示すように、水平面１２２及び垂直面１２０に対して配向し得る。
【００１６】
ホイッスル１００は、さらに、右側排出ポート１６０、左側排出ポート１６２、右側面１３６、左側面１３８、上面１４０、底面１４２、前方部分１４４及び後方部分１４６、中央部分１３２並びに外面１５１を備える。
【００１７】
ここで、図１０を参照すると、それは、ホイッスルを図９の線ＡＡに沿った断面で示し、そして、空気仕切り１５４で右側空気通路１５０と左側空気通路１５２に分割される以下の入口１１４を備える。通路１５０及び１５２は、それぞれ、右側空気オリフィス１５６及び左側空気オリフィス１５８のところで終わり、そして共鳴室１０３内に空気を指向する。典型的に口で吹かれ入口１１４を通った空気は、右側空気オリフィス１５６及び左側空気オリフィス１５８を通って出て共鳴室１０３の中に入り、端部１６１にぶつかり、右側音響室１６４及び左側音響室１６６と相互作用し、そして、右側ディフレクター１６８及び左側ディフレクター１７０により部分的に規定される右側排出ポート１６０及び左側排出ポート１６２を通って出る。
【００１８】
ここで、図１１の線ＢＢに沿った横断面図である図１２を参照すると、ホイッスル１００の硬質プラスチック部材を、図１２の本体コア（ｂｏｄｙ  ｃｏｒｅ）として示す。
【００１９】
モールド工程において、硬質プラスチック部材は、一般に、ボディコア１８０を成型するようにモールド及び組み立てられ、その後、図１４に１８２で示すゴム製オーバレイが、硬質プラスチック本体コア１８０上にモールドされる。
【００２０】
図１４は、ホイッスル１００のゴム製オーバレイ１８２部分を示し、一方、図１３は、硬質プラスチック本体コア１８０をゴム製オーバレイ１８２と一緒に示す。読者は、指グリップ１１６がほとんどゴム製オーバレイ材料１８２で作られることに気づくであろう。指スリーブ１１８の内部１１９は、完全に弾性材料でできており、それは、好ましくは、Ｖ−バネ１３０であるとおり、弾性ゴム製オーバレイ１８２である。
【００２１】
図１５及び１６は、指グリップ１１６の指スリーブ１１８内に挿入された小さな指１９４及び大きな指１９６を模式的に示している。図１５では、小さな指１９４が、指スリーブ１１８内に示され、ここで、Ｖ−バネ１３０は正常位置１９０にある。正常位置１９０のＶ−バネ１３０は、図１５に示すように、指１９４の外部に対して弾性的に偏るように若干拡張されてもよい。
【００２２】
図１６に、Ｖ−バネ１３０が拡張位置１９２にある指スリーブ１１８内の大きな指１９６を示す。拡張位置１９２では、指スリーブ１１８は、図１６に大きな指１９６で示されるようにより大きな指を収容することができ、そして、大きな指１９６の外部に対して弾性的に偏り続ける。
【００２３】
図１７、１８及び１９は、別の実施態様、すなわち、ホイッスル１００とほとんど同じ部材を備え右側吸気ポート５０２及び右側吸気ポート５０４を追加するホイッスル５００を示す。右側吸気ポート５０２及び左側吸気ポート５０４により、入口空気進入口５０１とは別の入口から空気を入れることが可能になる。ポート空気は、入口空気進入口５０１を用いた場合に吹き付けるよりは自然に吸い込まれる。ポート空気は、空気オリフィス５１２及び５１４を右側空気孔５１０及び左側空気孔５１１のすぐ近くに設置することにより生起するベンチュリ又はサイホン現象を介して右側吸気ポート５０２及び左側吸気ポート５０４に吸い込まれる。右側空気孔５１０及び左側空気孔５１１は、右側音響室５２０及び左側音響室５２２に通じる右側空気オリフィス５１２及び左側空気オリフィス５１４に近い右側ディフレクター５０６及び左側ディフレクター５０８のところで出る。
【００２４】
入口５０１は、右側空気通路５５０及び左側空気通路５５２に分割され、そして、入口空気を共鳴室５０３へ排出する。通路５５０及び５５２は、入口空気を空気オリフィス５１２及び５１４にて共鳴室５０３へ排気する。右側吸気ポート５０２及び左側吸気ポートの使用は、実際、典型的なピー型ホイッスルの音を非常に近く模倣した発散する音をホイッスル５００から作ることが判明した。実際面では、空気孔５１０及び５１１をオリフィスと外面５５１との間に配向（ｏｒｉｅｎｔ）することが好ましい。すなわち、空気孔５１０及び５１１は、空気オリフィスよりも外面に近い。共鳴室は、音を強引（ｆｏｒｗａｒｄｌｙ）に偏向するためのディフレクター５０６及び５０８を備え、そして、空気オリフィス５１２及び５１４並びに空気孔５１０及び５１１は、好ましくはディフレクターに沿って位置する。
【００２５】
ここで、図２０〜２５を参照すると、それは、Ｙ軸にデシベル音量、そしてＸ軸に周波数及び／又は時間をとったチャートを広く示す。図２０は、典型的なボールホイッスル３００及び本考案のホイッスル１００のサウンドプロファイルを示す。
【００２６】
本考案のホイッスル１００は、図２０では単一ピークを持つように現れているが、実際は、より微細な分解能の測定装置を用いると、約２２５０ヘルツに生じるピークは、実際は、図２５に示すように、２２１６ヘルツのピークと２２８７ヘルツの別のピークを有するツインピークである。
【００２７】
これらの周波数ピーク、すなわち、３２０で示す２２１６ヘルツのピーク及び３２２で示す２２８７ヘルツのピークは、７１ヘルツの周期的なパルス周波数を作る。２２１６ヘルツのピーク主要周波数は、ホイッスル１００の一の音響室に相当し、そして２２８７ヘルツのピーク主要周波数は、もう一方の音響室に相当する。ピーク主要周波数の相違が、二個の音響室から共鳴するこれらの二個の周波数の干渉を引き起こし、これが、典型的なピー型ホイッスルを模倣する脈動音を提供するために好ましくは１０〜１００ヘルツの範囲にある周期的なパルス周波数を引き起こす。
【００２８】
図２１を参照すると、それは、典型的なボールホイッスルのＹ軸にデシベルそしてＸ軸に周波数を示し、そして、図２２に、３５０で示す対応の周期的パルス期間（ｐｕｌｓｅ  ｐｅｒｉｏｄ）ＷＢを示す。図２２に３５０で示すＷＢは、典型的なピー型ホイッスルから取得される測定値である５０ヘルツ（ｗｂ＝５０ヘルツ）にて測定される。
【００２９】
図２３は、Ｙ軸にデシベルそしてＸ軸に周波数を示し、そして、約２２１６ヘルツのピーク周波数を示す。しかし、図２５に記載するように、ピークは、実際は、２２１６ヘルツ及び２２８７ヘルツのピーク周波数を有する二個のツインピークである。本考案のホイッスル１００についてのパルス期間Ｗを図２４に示すが、それは、二個の音響室の主要周波数の干渉のために周期的なパルス周波数となる７１ヘルツ（Ｗ＝７１ヘルツ）にて測定される。
【００３０】
読者は、図２０でピーク主要周波数の右側に他のより小さなピークが存在することに気づくであろうが、これはホイッスルから聞こえる音にほとんど付加されない倍音ピーク周波数及び／又は単に倍音周波数と呼ばれる。
【図１】
0003164189.tif 000003
【図２】
0003164189.tif 000004
【図３】
0003164189.tif 000005
【図４】
0003164189.tif 000006
【図５】
0003164189.tif 000007
【図６】
0003164189.tif 000008
【図７】
0003164189.tif 000009
【図８】
0003164189.tif 000010
【図９】
0003164189.tif 000011
【図１０】
0003164189.tif 000012
【図１１】
0003164189.tif 000013
【図１２】
0003164189.tif 000014
【図１３】
0003164189.tif 000015
【図１４】
0003164189.tif 000016
【図１５】
0003164189.tif 000017
【図１６】
0003164189.tif 000018
【図１７】
0003164189.tif 000019
【図１８】
0003164189.tif 000020
【図１９】
0003164189.tif 000021
【図２０】
0003164189.tif 000022
【図２１】
0003164189.tif 000023
【図２２】
0003164189.tif 000024
【図２３】
0003164189.tif 000025
【図２４】
0003164189.tif 000026
【図２５】
0003164189.tif 000027